(57)【要約】【課題】構造の簡素化を図ると共に長時間の加湿を可能とするもので、更に良好な渦輪を噴き出すことを可能としインテリアとしても優れている超音波加湿器を提供する。【解決手段】本体１０内部の水槽底部に超音波振動子を装着し、超音波振動子に発振回路より発振出力を印加して水槽内の水を霧化させて送風空気と共に上部カバー２０の上端開口から霧を噴出するようにした超音波加湿器において、超音波加湿器の全体形状をつぼ型に形成すると共に上部カバー２０の中間部分の形状を最も細くして上方に向けて漸次太くなるように形成し、上部カバー２０内部に噴射パイプを一体的に形成し、水槽の水収容量を大容量化して長時間の加湿を可能とした。【選択図】図１
0003167139.tif 000002
【実用新案登録請求の範囲】
【請求項１】
本体内部の水槽底部に超音波振動子を装着し、前記超音波振動子に発振回路より発振出力を印加して前記水槽内の水を霧化させて送風空気と共に上部カバーの上端開口から霧を噴出するようにした超音波加湿器において、前記超音波加湿器の全体形状をつぼ型に形成すると共に前記上部カバーの中間部分の形状を最も細くして上方に向けて漸次太くなるように形成し、前記上部カバー内部に噴射パイプを一体的に形成し、前記水槽の水収容量を大容量化して長時間の加湿を可能としたことを特徴とする超音波加湿器。
【請求項２】
前記本体内部に前記上部カバーの上端開口から噴出される霧の状態を制御する制御手段を備え、前記制御手段により連続して霧を噴出する連続モード又は所定の時間間隔をおいて渦輪を噴出する間欠モードに切り替え可能とし、前記間欠モードにおいて渦輪を噴出する時間間隔を複数段階に設定し選択可能としたことを特徴とする請求項１に記載の超音波加湿器。
【請求項３】
前記上部カバーの上端開口周辺に上方向を照明する光源を設けたことを特徴とする請求項１又は請求項２に記載の超音波加湿器。
【考案の詳細な説明】
【技術分野】
【０００１】
本考案は、水槽底部に設けられた超音波振動子が振動して水槽内の水が霧状となり上部カバーの上端開口から霧を噴出する超音波加湿器の改良に関し、特に良好な渦輪を噴き出してインテリアとしても優れている超音波加湿器に関する。
【背景技術】
【０００２】
従来、加湿器としては超音波の振動により霧を発生させる超音波式のものが一般的に知られている。
実公平７−４０９１０号公報（特許文献１）には、空気流による水面の波立ちによって霧の発生能力が低下するのを防止することを目的とし、発生した霧を伴って流出する空気の流出通路が超音波振動子と相対して水面上に開口しているものにおいて、水の柱が形成される水面が水槽内に送り込まれる空気流によって波立ち霧の発生が低下するのを防止するため、水面上、水槽内壁面側から空気の流出通路開口部に向かって、水槽内に送り込まれる空気流を導く空気流案内板を水槽の水面の上方に配置したことを特徴とする超音波加湿器が提案されている。
【０００３】
また、特開２００６−１２５６４８号公報（特許文献２）には、霧吹出しノズル内表面に水滴が形成されず安定した高い加湿能力を確保できる超音波加湿器を提供することを目的とし、霧吹出しノズルの内表面を親水性に形成してなることを特徴とする超音波加湿器が提案されている。
【０００４】
また、特開２００２−４８３６４号公報（特許文献３）には、ミネラルウオータのペットボトルに専用キャップを嵌合して霧化する超音波加湿器に関し、霧化槽の上部にキャップ挿入部を装着し、ペットボトルの開口に嵌合されるキャップをキャップ挿入部に挿入して、ペットボトルの水を霧化することを特徴とする超音波加湿器が提案されている。
【０００５】
一方、霧状の渦輪を噴出する加湿装置については、以下のような発明が提案されている。
特開２００６−３０５４８４号公報（特許文献４）には、霧が集まった雲の中から、リング状の霧の塊を放出することができる放出装置を提供することを目的とし、超音波振動により霧化された水分を溜めて雲を形成可能な第１の容器と、その雲に沈むように第１の容器の内部に配置された第２の容器と、これらの第２の容器の内圧を変動させる圧力制御ユニットとを有し、第２の容器の内圧を変動すると、吸排気口を介して雲から霧を第２の容器に充填し、その後、雲からリング状の霧の塊を放出できる加湿装置が提案されている。
【先行技術文献】
【特許文献】
【０００６】
【特許文献１】実公平７−４０９１０号公報
【特許文献２】特開２００６−１２５６４８号公報
【特許文献３】特開２００２−４８３６４号公報
【特許文献４】特開２００６−３０５４８４号公報
【考案の概要】
【考案が解決しようとする課題】
【０００７】
本考案は、従来の超音波加湿器に改良を施して品質及び機能を改善することに着目し、構造の簡素化を図ると共に長時間の加湿を可能とするもので、更に良好な渦輪を噴き出すことを可能としインテリアとしても優れている超音波加湿器を提供することを目的とする。
【課題を解決するための手段】
【０００８】
上記の課題を解決するために、請求項１に記載の考案は、本体内部の水槽底部に超音波振動子を装着し、前記超音波振動子に発振回路より発振出力を印加して前記水槽内の水を霧化させて送風空気と共に上部カバーの上端開口から霧を噴出するようにした超音波加湿器において、前記超音波加湿器の全体形状をつぼ型に形成すると共に前記上部カバーの中間部分の形状を最も細くして上方に向けて漸次太くなるように形成し、前記上部カバー内部に噴射パイプを一体的に形成し、前記水槽の水収容量を大容量化して長時間の加湿を可能としたことを特徴とする。
【０００９】
また、請求項２に記載の考案は、請求項１に記載の前記本体内部に前記上部カバーの上端開口から噴出される霧の状態を制御する制御手段を備え、前記制御手段により連続して霧を噴出する連続モード又は所定の時間間隔をおいて渦輪を噴出する間欠モードに切り替え可能とし、前記間欠モードにおいて渦輪を噴出する時間間隔を複数段階に設定し選択可能としたことを特徴とする。
【００１０】
また、請求項３に記載の考案は、請求項１又は請求項２に記載の前記上部カバーの上端開口周辺に上方向を照明する光源を設けたことを特徴とする。
【考案の効果】
【００１１】
以上のように、本考案によれば、上部カバー内部に噴射パイプを一体的に形成したので構造の簡素化を図ることが可能になり、水槽の水収容量を大容量化したので長時間の加湿が可能になる。
また、制御手段により連続モード又は間欠モードに切り替えられ、間欠モードにおいて渦輪を噴出する時間間隔を複数段階に設定し選択できるようにしたので、使用者の好みに合わせて良好な渦輪を噴き出すことが可能になる。
また、上部カバーの上端開口周辺に上方向を照明する光源を設けたことにより、周囲の空間から霧又は渦輪のみを浮き立たせる効果が生じ室内の雰囲気を変えることが可能になる。
【図面の簡単な説明】
【００１２】
【図１】本考案にかかる超音波加湿器の一例を示す正面図である。
【図２】図１に示す超音波加湿器の平面図である。
【図３】図１に示す超音波加湿器の底面図である。
【図４】図１に示す超音波加湿器の本体の平面図である。
【図５】図１に示す超音波加湿器の上部カバーの説明図である。
【図６】連続モードの使用状態を示す図である。
【図７】間欠モードの使用状態を示す図である。
【考案を実施するための形態】
【００１３】
以下、本考案の実施の形態について図面を参酌しながら説明する。なお、本考案にかかる超音波加湿器は、以下の実施例に限定されるものではなく、超音波加湿器の内部構造や運転モードの設定方法等については適宜変更することができる。
【００１４】
図１は本考案にかかる超音波加湿器の一例を示す正面図、図２は平面図、図３は底面図である。また、図４は超音波加湿器の本体内部の平面図、図５は上部カバー内部の説明図である。
超音波加湿器の全体形状については、図１に示すように、つぼ型に形成されている。また、上部カバー２０の形状については、その中間部分を最も細くして上方に向けて漸次太くなるように形成されており、くびれ形状を顕著に表した特徴のあるデザインが採用されている（図１及び図５参照）。
【００１５】
超音波加湿器を構成する基本的内容については、従来の超音波加湿器と同様である。すなわち、図１乃至図５に示すように本体１０内部の水槽１１の底部に超音波振動子１２が装着され、超音波振動子１２に発振回路（図示省略）より発振出力を印加して水槽１１内の水を霧化させて、本体１０の送風口１３に連通する空気通路２６を介して噴射パイプ２５内に送り込まれる送風空気と共に上部カバー２０の上端部２１の開口部２２から霧を噴出するものである。
【００１６】
本考案にかかる超音波加湿器では、上述した特徴のあるデザインに加えて、図５に示すように上部カバー２０の内部に噴射パイプ２５が一体的に形成されており、図４に示すように水槽１１の水収容量を大容量化して長時間の加湿を可能としている点にも特徴を有する。
このように、上部カバー２０と噴射パイプ２５とを一体形成することにより構造の簡素化を図ることが可能になる。したがって、上部カバー２０と噴射パイプ２５が別個に設けられている場合と比べて、水補給の際における取り外し及び取り付けの手間を省くことができる。
また、水槽１１の水収容量については、市販されている同種商品の約４０ｍｌに比べて約１０倍程度の約３５０〜４００ｍｌの大容量に設定されている。このため、後述する連続モードの運転状態において、長時間（４〜５時間）連続して霧を噴出することができる。
【００１７】
本考案にかかる超音波加湿器の本体１０には、噴出される霧の状態を制御する制御手段（図示省略）が設けられている。この制御手段により、連続して霧を噴出する連続モード又は所定の時間間隔をおいて渦輪を噴出する間欠モードに切り替えることができるように設定されている。また、間欠モードにおいて、渦輪を噴出する時間間隔を２種類（例えば、２秒間隔と４秒間隔）から選択できるように設定されている。
具体的には、本体１０の加湿量スイッチ１５の押下回数によって、例えば、３段階の加湿機能が選択できるように設定することができる。この場合、加湿量スイッチ１５を１回押下すると、運転ランプ１６（右側）が点灯し間欠モードで遅い時間間隔（４秒）で渦輪を噴出する（図７の間欠モードの使用状態参照）。また、加湿量スイッチ１５を２回押下すると、運転ランプ１６（中央）が点灯し間欠モードで早い時間間隔（２秒）で渦輪を噴出する（図７参照）。また、加湿量スイッチ１５を３回押下すると、運転ランプ１６（左側）が点灯し連続モードで霧を噴出する（図６の連続モードの使用状態参照）。そして、加湿量スイッチ１５を４回押下すると、運転を停止する。これにより、使用者の好みに合わせて良好な渦輪を噴き出すことが可能になる。なお、水槽１１内の水がなくなると、自動的に電源が切れて運転が停止するように設定されている。
【００１８】
図２に示すように、本考案にかかる超音波加湿器の上部カバー２０の上端部２１には、ＬＥＤランプ２３が取り付けられている。上部カバー２０の上端部２１の下方には、ＬＥＤボード２４が組み込まれており（図５参照）、本体１０の接続端子１４から電気の供給を受けるようにしている（図４参照）。本体１０の照明スイッチ１７の操作によって、ＬＥＤランプ２３のＯＮ／ＯＦＦが行われる。これにより、周囲の空間から霧又は渦輪のみを浮き立たせる効果が生じ室内の雰囲気を変えることができる。
【符号の説明】
【００１９】
１０  本体
１１  水槽
１２  超音波振動子
１３  送風口
１４  接続端子
１５  加湿量スイッチ
１６  運転ランプ
１７  照明スイッチ
１８  通気口
１９  アダプタージャック
２０  上部カバー
２１  上端部
２２  開口部
２３  ＬＥＤランプ
２４  ＬＥＤボード
２５  噴射パイプ
２６  空気通路
２７  水槽蓋
【図７】
0003167139.tif 000003
【図１】
0003167139.tif 000004
【図２】
0003167139.tif 000005
【図３】
0003167139.tif 000006
【図４】
0003167139.tif 000007
【図５】
0003167139.tif 000008
【図６】
0003167139.tif 000009